(57)【要約】【課題】作業者への作業負担を軽減することができる先端工具支持具を提供することを課題とする。【解決手段】高所作業車Ｈに設置され、所定の軸を中心に回動して傾斜するように構成されたアームＡに固定するためのアーム固定部２と、前記アーム固定部２に連結され、間接活線作業を行うための先端工具Ｐを支持するための支持部３と、前記支持部３の前記アーム固定部２に対する相対位置を調整可能な位置調整部４と、前記支持部３を前記先端工具Ｐの作業対象となる電線Ｗに沿ってスライドさせるためのスライド部５と、を備える先端工具支持具１。【選択図】図１
2018201312.tif 000002
【特許請求の範囲】
【請求項１】
高所作業車に設置され、所定の軸を中心に回動して傾斜するように構成されたアームに固定するためのアーム固定部と、
前記アーム固定部に連結され、間接活線作業を行うための先端工具を支持するための支持部と、
前記支持部の前記アーム固定部に対する相対位置を調整可能な位置調整部と、
前記支持部を前記先端工具の作業対象となる電線に沿ってスライドさせるためのスライド部と、を備える先端工具支持具。
【請求項２】
前記アーム固定部は、第１の絶縁操作棒を固定可能に構成され、該第１の絶縁操作棒を介して前記アームに固定される、請求項１に記載の先端工具支持具。
【請求項３】
前記位置調整部は、前記支持部に対して回動可能に構成された回動部と、
前記回動部が前記支持部に対して回動可能な回動状態と、前記回動部が前記支持部に対して固定される非回動状態とに前記回動部の状態を切替えるための回動操作部であって、第２の絶縁操作棒を接続可能に構成された回動操作部と、を備える、請求項１又は２に記載の先端工具支持具。
【請求項４】
前記スライド部は、前記支持部がスライドするスライド本体と、
該支持部を前記スライド本体に対してスライド移動させるスライド操作部であって、第３の絶縁操作棒を接続可能に構成されたスライド操作部と、を備える、請求項１〜３の何れか１項に記載の先端工具支持具。
【発明の詳細な説明】
【技術分野】
【０００１】
本発明は、例えば、高圧線に対する間接活線作業時に、作業者を支援するための先端工具支持具に関する。
【背景技術】
【０００２】
従来から、間接活線工具等を用いた間接活線作業において、高圧線等の活線に対する作業、例えば、高圧線の切断・接続作業に対する作業負担を軽減するために、種々の手段が提案されている。
【０００３】
例えば、特許文献１に記載された間接活線作業用具支持装置は、索条を巻き取る巻取ドラムが内装され、高所作業車のバケットに取り付け可能に構成された装置本体と、巻取ドラムから引き出された索条をガイドする索条案内体と、索条の先端部に設けられ、間接活線作業用具を保持するための保持手段とを備える。この間接活線作業用具支持装置では、索条案内体は、装置本体から上方に向けて延び、且つバケットに搭乗した作業者の頭よりも高い位置で電線側に向けて延びており、保持手段は、索条案内体から吊り下げられている。これにより、作業時は、作業者の正面で間接活線作業用具を操作することができると共に、作業者は、間接活線作業用具の荷重を負担せずに作業を行うことができる。
【０００４】
また、特許文献２に記載された間接活線工具支持具は、作業者の身体に装着される身体装着部と、前記身体装着部に連結され、絶縁操作棒に装着される棒装着部と、絶縁操作棒の基端部を支持する棒支持部とを備える。この間接活線工具支持具では、絶縁操作棒を、棒装着部と棒支持部とで支持することで、身体に絶縁操作棒の荷重の一部を預けることができるので、絶縁操作棒を作業者の腕のみで支持する場合と比較して、作業者にかかる負担を軽減することができる。
【先行技術文献】
【特許文献】
【０００５】
【特許文献１】特開２０１１−１２５１９５号公報
【特許文献２】特開２０１０−２４６２２６号公報
【発明の概要】
【発明が解決しようとする課題】
【０００６】
しかしながら、特許文献１の間接活線作業用具支持装置では、作業者の正面に間接活線作業用具を位置させて作業することができるものの、作業する方向が限られているので、作業位置を変更する場合には、装置本体をバケットから取り外して付け替える必要がある。そのため、特許文献１の間接活線作業用具支持装置は、作業位置を変更することが作業負担となってしまう。
【０００７】
また、特許文献２の間接活線工具支持具では、作業時に作業者に絶縁操作棒の荷重がかかることに変わりなく、作業負担の軽減としては十分ではない。
【０００８】
そこで、本発明は、かかる実情に鑑み、作業者への作業負担を軽減することができる先端工具支持具を提供することを課題とする。
【課題を解決するための手段】
【０００９】
本発明に係る先端工具支持具は、高所作業車に設置され、所定の軸を中心に回動して傾斜するように構成されたアームに固定するためのアーム固定部と、
前記アーム固定部に連結され、間接活線作業を行うための先端工具を支持するための支持部と、
前記支持部の前記アーム固定部に対する相対位置を調整可能な位置調整部と、
前記支持部を前記先端工具の作業対象となる電線に沿ってスライドさせるためのスライド部と、を備える。
【００１０】
かかる構成によれば、先端工具支持具をアームに固定し、該先端工具支持具に先端工具を支持させた状態でアームを動かすことで、作業者が先端工具を保持せずに先端工具を作業位置へ移動（接近）させることができる。
【００１１】
また、先端工具支持具は、支持部のアーム固定部に対する相対位置を調整可能な位置調整部を備えているので、先端工具の作業対象となる電線に対するアームの傾斜具合と作業位置との位置関係に応じて支持部の位置を調整し、先端工具を作業位置に対して適正な位置に位置させることができる。
【００１２】
更に、先端工具支持具は、支持部を先端工具の作業対象となる電線に沿ってスライドさせるためのスライド部を備えているので、先端工具を先端工具支持具に支持させたままスライド移動させることで、アームを移動させずに、且つアームに先端工具の荷重を預けた状態で作業位置を変更することができる。
【００１３】
以上のように、かかる構成の先端工具支持具によれば、先端工具の荷重をアームに預けた状態で先端工具を作業位置へ移動させることができると共に、先端工具が作業に適した位置に位置するよう微調整でき、且つアームを動かさずに、先端工具をアームに支持させたまま作業位置を変更することができる。そのため、作業者が先端工具を直接保持せずに、間接活線作業を行うことができる。
【００１４】
本発明の一態様として、前記アーム固定部は、第１の絶縁操作棒を固定可能に構成され、該第１の絶縁操作棒を介して前記アームに固定されてもよい。
【００１５】
かかる構成によれば、第１の絶縁操作棒をアーム固定部に固定し、該第１の絶縁操作棒を介して先端工具支持具をアームに固定することで、支持部とアームとの間に第１の絶縁操作棒を介在させることができる。そのため、先端工具とアームとの距離を第１の絶縁操作棒の長さ分離すことができ、作業を安全に行うことができる。
【００１６】
本発明の他態様として、前記位置調整部は、前記支持部に対して回動可能に構成された回動部と、
前記回動部が前記支持部に対して回動可能な回動状態と、前記回動部が前記支持部に対して固定される非回動状態とに前記回動部の状態を切替えるための回動操作部であって、第２の絶縁操作棒を接続可能に構成された回動操作部と、を備えていてもよい。
【００１７】
かかる構成によれば、第２の絶縁操作棒を回動操作部に接続して該第２の絶縁操作棒を操作することで、回動部が支持部に対して回動する状態と、回動部が支持部に対して固定された状態とに切替えることができる。そのため、かかる構成の先端工具支持具は、位置調整操作を間接活線作業で行うことができる。
【００１８】
本発明の別の態様として、前記スライド部は、前記支持部がスライドするスライド本体と、該支持部を前記スライド本体に対してスライド移動させるスライド操作部であって、第３の絶縁操作棒を接続可能に構成されたスライド操作部と、を備えていてもよい。
【００１９】
かかる構成によれば、第３の絶縁操作棒をスライド操作部に接続して該第３の絶縁操作棒を操作することで、支持部をスライド本体上で移動させることができる。そのため、かかる構成の先端工具支持具は、先端工具をスライド移動させる操作を間接活線作業で行うことができる。
【発明の効果】
【００２０】
以上より、本発明によれば、作業者への作業負担を軽減することができる先端工具支持具を提供することができる。
【図面の簡単な説明】
【００２１】
【図１】先端工具支持具を使用して作業者が間接活線作業を行っている状態を説明するための図である。
【図２】先端工具支持具の正面図である。
【図３】先端工具支持具の正面断面図であって、アーム固定部及びスライド部に絶縁操作棒が接続されている状態の正面断面図である。
【図４】第１の絶縁操作棒をアームに固定するための固定具の平面図である。
【図５】固定具の斜視図である。
【発明を実施するための形態】
【００２２】
以下、本発明の一実施形態に係る先端工具支持具について、図面を参照しつつ説明する。
【００２３】
図１に示すように、本実施形態の先端工具支持具１は、高所作業車Ｈに設置され、所定の軸を中心に回動して傾斜するように構成されたアームＡに固定され、作業者の間接活線作業を補助するものである。そのため、まず、アームＡについて説明する。アームＡは、先端部と基端部とを備え、長尺に形成されている。アームＡは、基端部が高所作業車Ｈに固定されている。アームＡは、水平方向に延びる軸を中心に、上下に回動可能に構成されている。また、アームＡは、鉛直方向に延びる軸を中心に、左右に回動可能に構成されている。アームＡは、基端部を中心に、上記の回動動作を行うように構成されている。本実施形態のアームＡは、伸縮可能に構成されている。図１には、切断された電線Ｗを、スリーブＳを介して接続する接続作業が例示されている。
【００２４】
先端工具支持具１は、アームＡに固定するためのアーム固定部２と、アーム固定部２に連結され、間接活線作業を行うための先端工具Ｐを支持するための支持部３と、支持部３のアーム固定部２に対する相対位置を調整可能な位置調整部４と、支持部３を先端工具Ｐの作業対象となる電線Ｗに沿ってスライドさせるためのスライド部５と、アーム固定部２、支持部３、位置調整部４、及びスライド部５を一体的に組み付けるためのケース部６と、を備える。
【００２５】
アーム固定部２は、直接又は間接的にアームＡに固定される。アーム固定部２は、第１の絶縁操作棒Ｔ１を固定可能に構成されている。アーム固定部２は、該第１の絶縁操作棒Ｔ１を介してアームＡに固定可能に構成されている。即ち、先端工具支持具１は、アーム固定部２が、アームＡに直接固定されることでアームＡに固定されてもよいし、アーム固定部２が、アームＡに固定された第１の絶縁操作棒Ｔ１を介してアームＡに固定されてもよい。後者の場合、第１の絶縁操作棒Ｔ１は、図４及び図５に示す、第１の絶縁操作棒Ｔ１をアームＡに固定するための固定具７によってアームＡに固定されてもよい。固定具７については後述する。
【００２６】
図２及び図３に示すように、本実施形態のアーム固定部２は、第１の絶縁操作棒Ｔ１を固定するための操作棒固定部２１を備える。操作棒固定部２１は、第１の絶縁操作棒Ｔ１の先端を連結するためのソケットである。即ち、アーム固定部２に第１の絶縁操作棒Ｔ１を固定するための固定手段は、第１の絶縁操作棒Ｔ１の先端が前記ソケットに挿入されロックされる、いわゆるツイストロック式となっている。しかしながら、アーム固定部２に第１の絶縁操作棒Ｔ１を固定するための固定手段は、ツイストロック式に限られず、菊座等の種々の公知の手段を採用することができる。本実施形態の先端工具支持具１は、このソケット以外にも、絶縁操作棒を固定するための複数のソケットを備えるため、アーム固定部２に設けられた前記ソケットを第１ソケット２１と称する。
【００２７】
支持部３は、間接活線作業を行うための先端工具Ｐを支持するように構成されている。先端工具Ｐとは、例えば、電線Ｗの接続や切断を行うための油圧式の圧縮工具や、カッター、電線Ｗの被覆を剥くための皮剥き器等である。このような先端工具Ｐは種々の先端工具Ｐの中でも重く、作業者自身が荷重を受けながら作業を行う場合には、作業負担が大きいものである。
【００２８】
図２及び図３に示すように、支持部３は、先端工具Ｐを接続する接続部３１と、スライド部５に連結される連結部３２と、を備える。図２及び図３には、一例として、接続部３１が、先端工具Ｐのいわゆる菊座に対して（対となるように）対向して接続される、菊座である場合について示されている。しかしながら、接続部３１は、菊座に限られず、支持部３と先端工具Ｐとの接続手段として種々の公知の手段を採用することができる。また、本実施形態の連結部３２には、後述するスライド軸部５１１を挿通するためのスライド用孔Ｊが形成されている。該スライド用孔Ｊの内周面にはネジ山が形成され、連結部３２は、雌ネジを構成している。
【００２９】
位置調整部４は、支持部３に対して回動可能に構成された回動部４１と、該回動部４１を回動可能に保持する保持部４２と、回動部４１を該保持部４２に対して固定するための回動操作部４３と、を備える。
【００３０】
回動部４１は、保持部４２に保持された状態で回動するように構成されている。本実施形態では、保持部４２がケース部６に固定され、回動部４１が該ケース部６に対して回動するように構成されている。支持部３は、ケース部６内に配置されており、回動部４１は、ケース部６に対して回動可能に構成されることで、支持部３に対して回動可能に構成されている。
【００３１】
回動部４１は、保持部４２に保持される被保持部４１１と、被保持部４１１から外方に向かって延び、被保持部４１１を回動させるための軸部４１２と、を備える。回動部４１は、被保持部４１１を回動の中心として、軸部４１２が保持部４２の後述する開口Ｆの開口端縁に沿って、又は開口端縁で画定される領域内を自在に移動することで、回動可能に構成されている。回動部４１は、軸部４１２を軸中心として回転可能に構成されている。本実施形態では、被保持部４１１は、球状に形成されている。即ち、回動部４１は、ボールジョイントによって保持部４２に接続保持されている。即ち、回動部４１は、関節中心としての被保持部４１１を中心として鉛直方向、水平方向等様々な軸を中心に回動可能に構成されている。また、軸部４１２の両端部のうちの被保持部４１１側とは反対側の端部には、アーム固定部２の第１ソケット２１（操作棒固定部２１）が連結されている。この構成により、第１ソケット２１に固定された第１の絶縁操作棒Ｔ１を操作することで、被保持部４１１及び軸部４１２を保持部４２に対して回動させることができる。そのため、１つの第１の絶縁操作棒Ｔ１で先端工具支持具１の支持、及び回動部４１の回動操作を行うことができるため、準備する第１の絶縁操作棒Ｔ１の数を減らすことができる。被保持部４１１、軸部４１２、及び第１ソケット２１は、一体的に形成されている。
【００３２】
保持部４２は、被保持部４１１を収容することで該回動部４１を保持するように構成されている。具体的には、保持部４２には、被保持部４１１を収容するための収容部４２１と、回動操作部４３の後述する操作軸４３１を保持部４２の外側から挿通するための挿通部４２２とが形成されている。収容部４２１は、被保持部４１１の球体の形状に対応して、内周面が球面状に形成されている。収容部４２１には、保持部４２の外部と連通するための開口Ｆが形成され、被保持部４１１から延びる軸部４１２は、収容部４２１の外部に対して延出している。収容部４２１の開口Ｆの直径は、被保持部４１１の外径よりも小さく形成されており、収容部４２１に収容された被保持部４１１は、収容部４２１から脱落しないようになっている。挿通部４２２は、内周面にネジ山が形成された雌ネジとなっており、操作軸４３１が螺合するように構成されている。
【００３３】
本実施形態の保持部４２は、ケース部６に固定されている。具体的には、保持部４２は、ケース部６の外周面に固定されている。また、保持部４２は、ケース部６から下方側に延びるように、ケース部６の外周面のうちの底部に固定されている。ケース部６については後述する。
【００３４】
回動操作部４３は、回動部４１が支持部３に対して回動可能な回動状態と、回動部４１が支持部３に対して固定される非回動状態とに回動部４１の状態を切替えるためものである。回動操作部４３は、第２の絶縁操作棒（図示しない）を接続可能に構成されている。回動操作部４３は、保持部４２の挿通部４２２に挿通される操作軸４３１と、該操作軸４３１を操作するための操作部本体４３２と、を備える。本実施形態では、操作軸４３１は、挿通部４２２に対して螺合する雄ネジである。また、本実施形態では、操作部本体４３２は、第２の絶縁操作棒を接続するためのソケットである。以下、該ソケットを第２ソケット４３２と称する。
【００３５】
スライド部５は、支持部３がスライドするスライド本体５１と、該支持部３をスライド本体５１に対してスライド移動させるための操作を行うスライド操作部５２であって、第３の絶縁操作棒Ｔ２を接続可能に構成されたスライド操作部５２と、を備える。
【００３６】
スライド本体５１は、支持部３に螺合して、支持部３をスライド移動させるスライド軸部５１１と、スライド軸部５１１の端部に連結され、該スライド軸部５１１を、自身の軸中心に回転させるための第１歯車部５１２と、を備える。即ち、スライド軸部５１１の外周面には、ネジ山が形成され、スライド軸部５１１は、支持部３の連結部３２と螺合するように構成されている。スライド本体５１は、第１歯車部５１２が後述する第２歯車部５２１の回転力を受けて回転することによって、スライド軸部５１１を軸中心として回転するように構成されている。スライド本体５１は、スライド軸部５１１を軸中心として回転するに伴って支持部３がスライド軸部５１１の軸方向に沿って移動するように構成されている。
【００３７】
スライド操作部５２は、第１歯車部５１２に噛み合って、該第１歯車部５１２を回転させる第２歯車部５２１と、該第２歯車部５２１に連結された回転軸５２２と、該回転軸５２２の第１歯車部５１２とは反対側に連結され、該回転軸５２２を回転させて第２歯車部５２１を回転操作するための回転操作部５２３と、を備える。回転操作部５２３は、第３の絶縁操作棒Ｔ２を接続するためのソケットである。以下、該ソケットを第３ソケット５２３と称する。
【００３８】
ケース部６は、アーム固定部２、支持部３、位置調整部４、及びスライド部５を一体的に組み付けるためのものである。ケース部６は、スライド軸部５１１を収容する（組み付けるための）第１ケース部６１と、第１歯車部５１２、及び第２歯車部５２１を収容する（組み付けるための）第２ケース部６２と、を備える。
【００３９】
第１ケース部６１は、上端側が、スライド軸部５１１に沿って開口するように形成され、スライド軸部５１１に連結された支持部３が該第１ケース部６１から上方に向けて延出するように構成されている。第１ケース部６１には、支持部３のスライド方向Ｘにおける中央部に保持部４２が連結されている。
【００４０】
第２ケース部６２の下端側には、回転軸５２２を挿通するための挿通孔Ｑが形成されている。回転軸５２２が該挿通孔Ｑに挿通された状態では、第２歯車部５２１が第２ケース部６２の内部に配置され、回転操作部５２３が第２ケース部６２の外側に配置された状態となっている。第２ケース部６２は、スライド方向Ｘにおける第１ケース部６１の両端部のうちの一端側に設けられている。
【００４１】
図４及び図５に示すように、固定具７は、アームＡに固定するための固定具本体７１と、第１の絶縁操作棒Ｔ１を保持するための操作棒保持部７２と、を備える。
【００４２】
固定具本体７１は、アームＡを保持するアーム保持部７１１と、アームＡに対する位置ずれを防止する位置ずれ防止手段７１２と、を備える。本実施形態では、固定具本体７１は、アームＡの構造上の特徴を利用して、該アームＡに対して位置ずれしないように固定される。本実施形態では、位置ずれ防止手段７１２は、アームＡに構造上形成された孔Ｒに挿通可能なピン７１２である。固定具本体７１は、ピン７１２が、アームＡに形成された上記孔Ｒに挿通された状態でアーム保持部７１１によってアームＡを保持するように構成され、アームＡに対して固定される。このように、本実施形態では、固定具７をアームＡに固定するための固定構造をシンプルに構成している。
【００４３】
本実施形態の固定具本体７１は、アーム保持部７１１を一対備える。一対のアーム保持部７１１は、アームＡの延びる方向に沿って並設されている。ピン７１２は、アーム保持部７１１とアーム保持部７１１とを連結する保持部連結部７１３に設けられている。ピン７１２は、保持部連結部７１３から、内側（アームＡ側）に向かって延出している。
【００４４】
アーム保持部７１１は、アームＡを抱きかかえるように保持する。アーム保持部７１１は、アームＡを保持する保持部本体７１２ａと、該アームＡが保持部本体７１２ａから脱落するのを防止する脱落防止部７１２ｂと、を備える。保持部本体７１２ａは、アームＡの形状に対応したコの字状の枠部材である。脱落防止部７１２ｂは、アーム保持部７１１に保持されたアームＡが該アーム保持部７１１から脱落するのを防止する規制部７１２ｂ１と、該規制部７１２ｂ１を保持部本体７１２ａに対してロックするロック部７１２ｂ２と、を備える。図５には、一例として、規制部７１２ｂ１が保持部本体７１２ａに対して開閉可能に取り付けられた開閉バー７１２ｂ１であり、該開閉バー７１２ｂ１の先端が保持部本体７１２ａに対してロック部７１２ｂ２としてのロックピン７１２ｂ２によりロックされ得る態様が示されている。
【００４５】
操作棒保持部７２は、第１の絶縁操作棒Ｔ１を受ける基部７２１と、該基部７２１に対して第１の絶縁操作棒Ｔ１を固定する操作棒固定手段７２２と、を備える。基部７２１は、アーム保持部７１１の保持部本体７１２ａに固定されている。操作棒固定手段７２２は、基部７２１に対して係止されるフックである。操作棒保持部７２は、アームＡが延びる方向に沿って並設されている。即ち、本実施形態の固定具７は、アームＡと第１の絶縁操作棒Ｔ１とが同方向に延びるようにアームＡに対して第１の絶縁操作棒Ｔ１を固定することができる。
【００４６】
本実施形態に係る先端工具支持具１の説明は以上である。以下、本実施形態に係る先端工具支持具１の使用方法について説明する。
【００４７】
まず、高所作業車Ｈのバケット内の作業者（以下、作業者とする）は、固定具７を介して第１の絶縁操作棒Ｔ１をアームＡに対して固定する。続いて、先端工具支持具１を前記アームＡに固定された第１の絶縁操作棒Ｔ１に固定する。具体的には、先端工具支持具１の第１ソケット２１に第１の絶縁操作棒Ｔ１の先端を固定し、回動部４１が支持部３に対して固定される非回動状態、即ち、被保持部４１１が回動操作部４３を介して保持部４２に対して固定された状態としておく。更に、作業内容に応じた先端工具Ｐを、先端工具支持具１の支持部３に固定する。このように、アームＡに固定された第１の絶縁操作棒Ｔ１に、先端工具支持具１を固定し、該先端工具支持具１に作業用の先端工具Ｐを順次固定することで、先端工具支持具１及び先端工具Ｐの荷重を順次アームＡに預けながら固定作業を行うことができ、作業者の作業負担を軽減することができる。しかしながら、作業手順については上記に限定されず、予め先端工具Ｐが固定された先端工具支持具１を第１の絶縁操作棒Ｔ１に固定してもよい。
【００４８】
次に、高所作業車Ｈの操縦者は、アームＡを伸ばすと共に、アームＡの先端が電線Ｗに接近するまで、アームＡを移動させる。操縦者は、先端工具Ｐが電線Ｗ上の作業位置に接近したところでアームＡの移動を停止させる。作業者は、アームＡに固定された（第１ソケット２１に接続された）第１の絶縁操作棒Ｔ１とは異なる第２の絶縁操作棒（図示しない）の先端を第２ソケット４３２に接続する。作業者は、該第２の絶縁操作棒を回転させることで操作軸４３１を被保持部４１１から離間させ、被保持部４１１の固定状態を解消する。
【００４９】
作業者は、被保持部４１１の固定状態が解消され、回動部４１が保持部４２に対して回動可能な回動状態となると、被保持部４１１を回動させることで、先端工具Ｐと第１の絶縁操作棒Ｔ１（アームＡ）との相対位置を調整する。具体的には、先端工具Ｐを電線Ｗに接近させた状態で、電線Ｗに対して先端工具Ｐのスライド方向Ｘが交差している場合、又は電線Ｗに対して先端工具Ｐが傾斜している場合（支持部３が傾斜している場合）には、電線Ｗとスライド方向Ｘとが一致するように第１の絶縁操作棒Ｔ１（アームＡ）とケース部６との角度を調整する。
【００５０】
先端工具Ｐの位置（姿勢）が作業位置に対して適切な位置（姿勢）となるように、先端工具Ｐの位置を調整した状態で、第２ソケット４３２に接続した第２の絶縁操作棒を、被保持部４１１の固定状態を解消した際とは反対方向に回転させる。この操作によって、操作軸４３１で被保持部４１１を収容部４２１の内壁に対して押し付け、被保持部４１１を保持部４２に対して固定する。この操作により、先端工具支持具１は、アームＡに対して位置決めされた状態となる。
【００５１】
続いて、作業者は、第３ソケット５２３に第３の絶縁操作棒Ｔ２を接続する。そして、該第３の絶縁操作棒Ｔ２を回転させることで、支持部３をスライド軸部５１１に沿って移動させる。この操作によって、例えば、スリーブＳを圧縮して電線Ｗを接続する場合には、スライド軸部５１１上で支持部３を電線Ｗに沿ってスライド移動させることができ、電線Ｗに沿って先端工具Ｐの作業位置を変更することができる。尚、先端工具Ｐを電線Ｗに接近させた状態で、先端工具Ｐが電線Ｗに掛止可能な位置にあれば、絶縁操作棒等を使用して、先に先端工具Ｐの作業部（例えば、油圧式の圧縮工具の場合には、圧縮するために電線Ｗを把持する部分）を電線Ｗに掛止させてもよい。そして、先端工具Ｐの荷重を電線Ｗに預けた状態で回動部４１の固定状態を解消して、先端工具Ｐと電線Ｗとの位置関係の微調整をしてもよい。この手順によると、先端工具Ｐの荷重を電線Ｗに預けた状態で先端工具Ｐと電線Ｗとの位置関係の微調整が可能となるので、作業者への負担が軽減され得る。
【００５２】
以上のように、上記実施形態では、先端工具支持具１をアームＡに固定し、該先端工具支持具１に先端工具Ｐを支持させた状態でアームＡを動かすことで、作業者が先端工具Ｐを保持せずに先端工具Ｐを作業位置へ移動（接近）させることができる。
【００５３】
また、先端工具支持具１は、支持部３のアーム固定部２に対する相対位置を調整可能な位置調整部４を備えているので、先端工具Ｐの作業対象となる電線Ｗに対するアームＡの傾斜具合と作業位置との位置関係に応じて支持部３の位置を調整し、先端工具Ｐを作業位置に対して適正な位置に位置させることができる。
【００５４】
更に、先端工具支持具１は、支持部３を先端工具Ｐの作業対象となる電線Ｗに沿ってスライドさせるためのスライド部５を備えているので、先端工具Ｐを先端工具支持具１に支持させたままスライド移動させることで、アームＡを移動させずに、且つアームＡに先端工具Ｐの荷重を預けた状態で作業位置を変更することができる。
【００５５】
このように、かかる構成の先端工具支持具１によれば、先端工具Ｐの荷重をアームＡに預けた状態で先端工具Ｐを作業位置へ移動させることができると共に、先端工具Ｐが作業に適した位置に位置するよう微調整でき、且つアームＡを動かさずに、先端工具ＰをアームＡに支持させたまま作業位置を変更することができる。そのため、作業者が先端工具Ｐを直接保持せずに、間接活線作業を行うことができる。
【００５６】
また、上記実施形態の先端工具支持具１によれば、第１の絶縁操作棒Ｔ１をアーム固定部２に固定し、該第１の絶縁操作棒Ｔ１を介して先端工具支持具１をアームＡに固定することで、支持部３とアームＡとの間に第１の絶縁操作棒Ｔ１を介在させることができる。そのため、先端工具ＰとアームＡとの距離を第１の絶縁操作棒Ｔ１の長さ分離すことができ、作業を安全に行うことができる。
【００５７】
また、上記実施形態の先端工具支持具１によれば、第２の絶縁操作棒を回動操作部４３に接続して該第２の絶縁操作棒を操作することで、回動部４１が支持部３に対して回動する状態と、回動部４１が支持部３に対して固定された状態とに切替えることができる。そのため、かかる構成の先端工具支持具１は、位置調整操作を間接活線作業で行うことができる。
【００５８】
また、上記実施形態の先端工具支持具１によれば、第３の絶縁操作棒Ｔ２をスライド操作部５２（回転操作部５２３）に接続して該第３の絶縁操作棒Ｔ２を操作することで、支持部３をスライド本体５１上で移動させることができる。そのため、かかる構成の先端工具支持具１は、先端工具Ｐをスライド移動させる操作を間接活線作業で行うことができる。
【００５９】
また、上記実施形態の先端工具支持具１によれば、第３の絶縁操作棒Ｔ２を回転操作部５２３（第３ソケット５２３）に接続して該第３の絶縁操作棒Ｔ２を回転操作することで、第２歯車部５２１を介して第１歯車部５１２を回転させ、支持部３を第１歯車部５１２の軸方向に移動させることができる。そのため、かかる構成の先端工具支持具１は、回転操作部５２３を回転させるだけで支持部３をスライド移動させることができるので、先端工具Ｐの作業位置を簡単に変更することができる。
【００６０】
また、上記実施形態の先端工具支持具１では、回動部４１に第１の絶縁操作棒Ｔ１（アームＡ）を固定するように構成されているので、先端工具支持具１の第１の絶縁操作棒Ｔ１（アームＡ）への固定と、支持部３とアーム固定部２との相対位置の調整を、回動部４１で兼用することができる。そのため、先端工具支持具１の第１の絶縁操作棒Ｔ１（アームＡ）への固定構造、及び支持部３とアーム固定部２との位置調整のための構造を別々に設ける必要がなく、先端工具支持具１の構造をシンプルにすることができる。
【００６１】
尚、本発明の先端工具支持具１は、上記実施形態に限定されるものではなく、本発明の要旨を逸脱しない範囲内において種々変更を加え得ることは勿論である。
【００６２】
上記実施形態では、先端工具支持具１は、第１の絶縁操作棒Ｔ１を介してアームＡに固定されている場合について説明したが、これに限定されるものではない。先端工具支持具１は、高所作業車ＨのアームＡに直接固定されてもよい。
【００６３】
上記実施形態では、アーム固定部２が位置調整部４の回動部４１（軸部４１２）に連結されている場合について説明したが、これに限定されるものではない。アーム固定部２は、例えば、ケース部６に直接連結されていてもよい。即ち、回動部４１は、アーム固定部２とは別に設けられ、先端工具支持具１を第１の絶縁操作棒Ｔ１（アームＡ）に固定した状態で、アーム固定部２とは別の位置で支持部３とアーム固定部２との相対位置を調整するものであってもよい。
【００６４】
上記実施形態では、回動部４１は、鉛直方向、水平方向等様々な方向を回動中心として回動可能な場合について説明したが、回動部４１は、支持部３に対して回動可能に構成されていればよく、少なくとも１つの所定の軸を中心に回動可能に構成されていてもよい。
【００６５】
上記実施形態では、支持部３は、スライド部５に対して螺合することによってスライド移動する場合について説明したが、これに限定されるものではない。例えば、スライド部５がレール状に形成され、支持部３が、該レール上を走るようにして、スライド移動するものであってもよい。
【符号の説明】
【００６６】
１…先端工具支持具、２…アーム固定部、２１…操作棒固定部（第１ソケット）、３…支持部、３１…接続部、３２…連結部、４…位置調整部、４１…回動部、４２…保持部、４３…回動操作部、４１１…被保持部、４１２…軸部、４２１…収容部、４２２…挿通部、４３１…操作軸、４３２…操作部本体（第２ソケット）、５…スライド部、５１…スライド本体、５２…スライド操作部、５１１…スライド軸部、５１２…第１歯車部、５２１…第２歯車部、５２２…回転軸、５２３…回転操作部（第３ソケット）、６…ケース部、６１…第１ケース部、６２…第２ケース部、７…固定具、７１…固定具本体、７２…操作棒保持部、７１１…アーム保持部、７１２…位置ずれ防止手段（ピン）、７１３…保持部連結部、７２１…基部、７２２…操作棒固定手段、７１２ａ…保持部本体、７１２ｂ…脱落防止部、７１２ｂ１…規制部（開閉バー）、７１２ｂ２…ロック部（ロックピン）、Ａ…アーム、Ｐ…先端工具、Ｓ…スリーブ、Ｗ…電線、Ｘ…スライド方向
【図１】
2018201312.tif 000003
【図２】
2018201312.tif 000004
【図３】
2018201312.tif 000005
【図４】
2018201312.tif 000006
【図５】
2018201312.tif 000007